(57)【要約】【課題】簡単な刈り高さの設定を可能とする電気バリカンを提供する。【解決手段】電気バリカン１は、本体部１０、刃部１１、およびアタッチメント２０を有する。アタッチメント２０は、本体部１０に取り外し可能に装着される。アタッチメント２０は、アタッチメント基台２１およびアタッチメント櫛部２２を有する。本体部１０およびアタッチメント２０は、本体部１０に対するアタッチメント２０の前後方向の位置を調整する第１位置調整部３０を有する。アタッチメント基台２１およびアタッチメント櫛部２２は、アタッチメント基台２１に対するアタッチメント櫛部２２の前後方向の位置を調整する第２位置調整部を有する。毛髪および体毛の刈り高さは、第１位置調整部３０および第２位置調整部の位置設定変更段数の組み合わせで調整される。【選択図】図１
2014124320.tif 000002
【特許請求の範囲】
【請求項１】
本体部、刃部、およびアタッチメントを有する電気バリカンであって、
前記アタッチメントは、アタッチメント基台およびアタッチメント櫛部を有し、前記本体部に取り外し可能に装着され、
前記本体部および前記アタッチメントは、前記本体部に対する前記アタッチメントの前後方向の位置を調整する第１位置調整部を有し、
前記アタッチメント基台および前記アタッチメント櫛部は、前記アタッチメント基台に対する前記アタッチメント櫛部の前後方向の位置を調整する第２位置調整部を有する
電気バリカン。
【請求項２】
前記第２位置調整部は、位置調整溝およびボスを有し、前記ボスと前記位置調整溝との結合位置を変更することにより前記アタッチメント基台に対する前記アタッチメント櫛部の前後方向の位置を調整する
請求項１に記載の電気バリカン。
【請求項３】
前記第１位置調整部は、前記第２位置調整部の最小位置調整量と異なる最小位置調整量を有する
請求項１または２に記載の電気バリカン。
【請求項４】
前記位置調整溝は、複数の位置確定部を有し、
前記複数の位置確定部は、前後方向における位置が異なる
請求項２に記載の電気バリカンまたは請求項２を引用する請求項３に記載の電気バリカン。
【請求項５】
前記第２位置調整部は、複数の前記ボスおよび複数の前記位置調整溝を有し、
前記複数のボスおよび前記複数の位置調整溝は、左右方向における位置が異なる
請求項２に記載の電気バリカンまたは請求項２を引用する請求項３に記載の電気バリカンまたは請求項４に記載の電気バリカン。
【請求項６】
前記第１位置調整部は、フックおよび複数の結合溝を有し、前記フックが結合する前記複数の結合溝の位置を変更することにより前記本体部に対する前記アタッチメントの前後方向の位置を調整する
請求項１〜５のいずれか一項に記載の電気バリカン。
【発明の詳細な説明】
【技術分野】
【０００１】
本発明は、刈り高さの調整機能を有する電気バリカンに関する。
【背景技術】
【０００２】
従来の刈り高さの調整機能を有する電気バリカンは、位置調整機構を連続的に操作することにより所望の刈り高さを設定する。特許文献１は、従来の電気バリカンとしてのヘアトリマーの一例を開示している。
【先行技術文献】
【特許文献】
【０００３】
【特許文献１】特開平１−２１４３８８号公報
【発明の概要】
【発明が解決しようとする課題】
【０００４】
特許文献１のヘアトリマーは、刃部を備えたハウジングを有する。櫛アタッチメントは、ハウジングに取付けられる。ヘアトリマーは、櫛アタッチメントの櫛部位置と刃部位置との間隔において刈り高さを設定する。ヘアトリマーは、刈り高さの調整を可能とする。ハウジングは、螺旋状の溝が刻まれた調整素子を有する。ハウジングは、調整素子に刻まれた螺旋状の溝に結合する突部を有する。ヘアトリマーの使用者は、調整素子を回転させることで刈り高さを調整する。使用者は、櫛アタッチメントの位置を調整して所望の刈り高さを設定するとき、調整素子を回転して現在設定されている値から所望の値へと刈り高さを変更する。使用者が調整素子を回す回数は、現在設定されている刈り高さの値と所望の刈り高さの値との差に比例する。このため、所望の刈り高さが現在設定されている刈り高さの値から大きく離れた値であるとき、使用者は、調整素子を何回も回すことで所望の刈り高さを設定する。このため、刈り高さを調整するとき、使用者は、煩わしさを感じるおそれがある。また、細かな間隔での刈り高さを調整可能とするヘアトリマーは、螺旋状の溝が細かなピッチで形成される。このため、使用者は、多くの回数で調整素子を回すことで刈り高さの調整を行う。このため、使用者が感じる煩わしさは、より顕著なものとなる。
【０００５】
本発明は、以上の背景をもとに創作されたものであり、簡単な刈り高さの設定を可能とする電気バリカンを提供することを目的とする。
【課題を解決するための手段】
【０００６】
（１）第１の手段は、「本体部、刃部、およびアタッチメントを有する電気バリカンであって、前記アタッチメントは、アタッチメント基台およびアタッチメント櫛部を有し、前記本体部に取り外し可能に装着され、前記本体部および前記アタッチメントは、前記本体部に対する前記アタッチメントの前後方向の位置を調整する第１位置調整部を有し、前記アタッチメント基台および前記アタッチメント櫛部は、前記アタッチメント基台に対する前記アタッチメント櫛部の前後方向の位置を調整する第２位置調整部を有する電気バリカン」を含む。
【０００７】
電気バリカンは、本体部、刃部、アタッチメント、および第１位置調整部を有する。アタッチメントは、アタッチメント基台、アタッチメント櫛部、および第２位置調整部を有する。第１位置調整部は、本体部に対するアタッチメントの前後方向の位置を調整する。第２位置調整部は、アタッチメント基台に対するアタッチメント櫛部の前後方向の位置を調整する。電気バリカンは、アタッチメント櫛部と刃部との間隔で毛髪および体毛の刈り高さを設定する。この構成によれば、使用者は、第１位置調整部および第２位置調整部が有する位置設定変更段数の組合せで刈り高さを調整することができる。このため、使用者は、少ない変更段数で簡単に所望の刈り高さを設定することができる。
【０００８】
（２）第２の手段は、「前記第２位置調整部は、位置調整溝およびボスを有し、前記ボスと前記位置調整溝との結合位置を変更することにより前記アタッチメント基台に対する前記アタッチメント櫛部の前後方向の位置を調整する電気バリカン」を含む。
【０００９】
（３）第３の手段は、「前記第１位置調整部は、前記第２位置調整部の最小位置調整量と異なる最小位置調整量を有する電気バリカン」を含む。
（４）第４の手段は、「前記位置調整溝は、複数の位置確定部を有し、前記複数の位置確定部は、前後方向における位置が異なる電気バリカン」を含む。
【００１０】
（５）第５の手段は、「前記第２位置調整部は、複数のボスおよび複数の前記位置調整溝を有し、前記複数のボスおよび前記複数の位置調整溝は、左右方向における位置が異なる電気バリカン」を含む。
【００１１】
（６）第６の手段は、「前記第１位置調整部は、フックおよび複数の結合溝を有し、前記フックが結合する前記複数の結合溝の位置を変更することにより前記本体部に対する前記アタッチメントの前後方向の位置を調整する電気バリカン」を含む。
【発明の効果】
【００１２】
本電気バリカンは、簡単な刈り高さの設定を可能とする。
【図面の簡単な説明】
【００１３】
【図１】実施形態における電気バリカンの斜視図。
【図２】実施形態の電気バリカンにおける本体部の斜視図。
【図３】実施形態の電気バリカンにおける第１位置調整部の断面構造図。
【図４】実施形態の電気バリカンにおけるアタッチメントの斜視図。
【図５】実施形態の電気バリカンにおけるアタッチメントの底面図。
【図６】実施形態の電気バリカンにおける第２位置調整部に関す図であり、（ａ）はボスと位置調整溝の相対関係を示す図、（ｂ）は、ボスと位置調整溝の位置関係を示す図。
【図７】実施形態の電気バリカンに関する図であり、（ａ）はアタッチメントの位置が調整された電気バリカンの構成図、（ｂ）は、アタッチメント櫛部の位置が調整された電気バリカンの拡大図。
【図８】実施形態の電気バリカンにおける本体部に対するアタッチメント櫛部の位置調整量を示す図。
【発明を実施するための形態】
【００１４】
（実施形態）
図１を参照して、電気バリカン１の構成について説明する。
電気バリカン１は、本体部１０、刃部１１、アタッチメント２０および第１位置調整部３０を有する。本体部１０は、把持部１２、操作部１３、および表示部１４を有する。
【００１５】
アタッチメント２０は、アタッチメント基台２１、アタッチメント櫛部２２、フック支持部５１、および第１位置操作部３１を有する。アタッチメント２０は、本体部１０に着脱可能に取付けられる。
【００１６】
以下、把持部１２から刃部１１に伸びる方向を前後方向における前方向とする。前後方向に対して直交する方向を左右方向とする。
電気バリカン１は、アタッチメント櫛部２２に挿入された毛髪および体毛を刃部１１により切断する。電気バリカン１は、毛髪および体毛を切断するとき、アタッチメント櫛部２２の前方向における表面位置と刃部１１との間隔で毛髪および体毛の刈り高さを設定する。アタッチメント櫛部２２に挿入された毛髪および体毛は、電気バリカン１が設定する刈り高さで切断される。
【００１７】
図２を参照して、アタッチメント２０が取り外された状態の本体部１０の構成について説明する。
本体部１０は、第１位置調整部３０を構成する本体側位置調整部４０およびアタッチメント支持部１５を有する。本体側位置調整部４０は、本体部１０の前後方向に複数のリブ４１および複数の結合溝４２を有する。
【００１８】
アタッチメント２０は、内面が本体部１０のアタッチメント支持部１５に沿うようにして本体部１０にかぶせられる。アタッチメント２０は、フック支持部５１が有するフック５２（図３参照）と本体側位置調整部４０の結合溝４２とが結合することで本体部１０に装着される。フック支持部５１が有するフック５２と結合溝４２との結合は、アタッチメント２０の第１位置操作部３１を押圧することで解き放たれる。アタッチメント２０は、フック５２と結合溝４２との結合が解き放たれることで本体部１０からの取り外しが可能となる。
【００１９】
図３を参照して、第１位置調整部３０の構成について説明する。
第１位置調整部３０は、本体側位置調整部４０およびアタッチメント側位置調整部５０を有する。
【００２０】
本体側位置調整部４０は、本体部１０に設けられた複数のリブ４１を有する。複数のリブ４１は、複数の結合溝４２を形成する。アタッチメント側位置調整部５０は、フック支持部５１および支点部５３を有する。フック支持部５１は、フック５２および第１位置操作部３１が形成されている。フック支持部５１は、支点部５３を介してアタッチメント基台２１と結合されている。
【００２１】
アタッチメント２０は、フック支持部５１のフック５２と本体側位置調整部４０の結合溝４２とが結合することで本体部１０に装着される。図３の二点鎖線は、第１位置操作部３１が押圧されるときのアタッチメント側位置調整部５０の状態が示されている。第１位置操作部３１が押圧されるとき、フック支持部５１は、支点部５３を支点としてフック５２が形成される側の先端部がはね上がる。フック５２は、第１位置操作部３１が押圧されることにより結合溝４２との結合が解除される。
【００２２】
電気バリカン１の使用者は、第１位置操作部３１を押圧してフック５２と結合溝４２との結合を解除した状態でアタッチメント２０の本体部１０に対する位置を移動させる。第１位置調整部３０は、フック５２が結合する結合溝４２の位置を変更することにより、本体部１０に対するアタッチメント２０の位置を変更する。
【００２３】
複数の結合溝４２の間隔は、第１位置調整部３０の第１最小位置調整量Ｄ１となる。複数のリブ４１が等間隔で配設されるとき、第１位置調整部３０は、第１最小位置調整量Ｄ１を基本単位調整量として本体部１０に対するアタッチメント２０の位置を調整することができる。本体側位置調整部４０の最前部の結合溝４２と最後部の結合溝４２との距離で第１位置調整部３０の位置調整可能範囲が設定される。また、本体側位置調整部４０が有する結合溝４２の数が第１位置調整部３０の位置設定変更段数となる。電気バリカン１は、第１位置調整部３０の位置設定変更段数が３段であり、第１最小位置調整量Ｄ１を２〜３ｍｍの値に設定する。第１位置調整部３０は、第１フック位置、第２フック位置、および第３フック位置で規定される３段の位置設定変更段数を有する。
【００２４】
図４を参照して、アタッチメント２０の構成について説明する。
アタッチメント２０は、アタッチメント基台２１およびアタッチメント櫛部２２を有する。アタッチメント櫛部２２は、アタッチメント基台２１の内面に沿うように挿入されている。アタッチメント櫛部２２は、アタッチメント基台２１に対して前後方向に位置を変更することができる。
【００２５】
アタッチメント２０は、第２位置操作部６１を有する。使用者は、第２位置調整部６０（図５参照）を用いてアタッチメント櫛部２２のアタッチメント基台２１に対する前後方向の位置を変更するとき、第２位置操作部６１を操作する。第２位置操作部６１は、左右方向における中心位置を確認するための中心表示部６２が形成されている。第２位置操作部６１は、アタッチメント基台２１の操作部支持面６３上に左右方向に移動可能に配設される。
【００２６】
図５を参照して、第２位置調整部６０の構成について説明する。
第２位置調整部６０は、基台側位置調整部７０および櫛側位置調整部８０を有する。基台側位置調整部７０は、左右方向に異なる位置に第１ボス７１Ｘおよび第２ボス７１Ｙを含む複数のボス７１を有する。櫛側位置調整部８０は、左右方向に異なる位置に第１位置調整溝８１Ｘおよび第２位置調整溝８１Ｙを含む複数の位置調整溝８１を有する。
【００２７】
ボス７１は、第２位置操作部６１の裏面から突出するように第２位置操作部６１と一体に形成される。位置調整溝８１は、アタッチメント櫛部２２が第２位置操作部６１の裏面と対向する部分に形成される。
【００２８】
第２位置操作部６１がアタッチメント基台２１の操作部支持面６３上に配設されるとき、ボス７１は、位置調整溝８１を貫通して所定の位置で位置調整溝８１と結合する。
図６を参照して、第２位置調整部６０の動作を説明する。
【００２９】
図６（ａ）は、ボス７１と位置調整溝８１との相対位置関係が示されている。
ボス７１は、位置調整溝８１を貫通する。位置調整溝８１は、前後方向に位置が異なる第１位置確定部８２Ａ、第２位置確定部８２Ｂ、および第３位置確定部８２Ｃを含む複数の位置確定部８２を有する。使用者が第２位置操作部６１を左右方向に移動させるとき、ボス７１は、第２位置操作部６１の動きに従って移動する。使用者が第２位置操作部６１を左右方向へ移動させるとき、ボス７１は、位置調整溝８１が有する複数の位置確定部８２の間を移動する。ボス７１は、位置調整溝８１が有する複数の位置確定部８２のいずれか１つで位置調整溝８１と結合する。図６（ａ）における二点鎖線は、実線で示される第１位置確定部８２Ａに位置するボス７１Ａが第２位置確定部８２Ｂおよび第３位置確定部８２Ｃに移動したときのボス７１を示している。
【００３０】
図６（ｂ）は、ボス７１が左右方向に移動するときの、ボス７１および位置調整溝８１の位置が示されている。
位置調整溝８１は、ボス７１が左右方向に移動するとき、位置調整溝８１の溝形状に応じて前後方向に移動する。ボス７１が位置調整溝８１の第１位置確定部８２Ａに位置するとき、位置調整溝８１は、実線で示される位置調整溝８１Ａの位置となる。ボス７１が移動してボス７１Ｂで示されるように、位置調整溝８１の第２位置確定部８２Ｂに位置するとき、位置調整溝８１は、破線で示される位置調整溝８１Ｂの位置となる。ボス７１が移動してボス７１Ｃで示されるように、位置調整溝８１の第３位置確定部８２Ｃに位置するとき、位置調整溝８１は、一点鎖線で示される位置調整溝８１Ｃの位置となる。このように、使用者が第２位置操作部６１を左右方向に移動するとき、ボス７１が右方向に移動して位置調整溝８１を前後方向に移動させる。
【００３１】
位置調整溝８１は、アタッチメント櫛部２２の第２位置操作部６１の裏面と対向する面に形成された溝であり、位置調整溝８１が前後方向に移動するとき、アタッチメント櫛部２２が前後方向に移動する。
【００３２】
ボス７１が隣り合う位置確定部８２間を左右方向に移動するとき前後方向に移動する位置調整溝８１の移動量は、第２位置調整部６０の第２最小位置調整量Ｄ２となる。複数の位置確定部８２が前後方向において等間隔で配設されるとき、第２位置調整部６０は、第２最小位置調整量Ｄ２を基本単位調整量としてアタッチメント基台２１に対するアタッチメント櫛部２２の位置を調整することができる。位置調整溝８１の最前部の位置確定部８２と最後部の位置確定部８２との距離で第２位置調整部６０の位置調整可能範囲が設定される。また、位置調整溝８１が有する前後方向における位置確定部８２の数が第２位置調整部６０の位置設定変更段数となる。
【００３３】
位置調整溝８１が有する複数の位置確定部８２の左右方向における間隔は、３〜５ｍｍの値に設定される。ボス７１が隣り合う位置確定部８２の間を移動するとき、位置調整溝８１の前後方向の移動量は、０．５〜１ｍｍの値に設定される。つまり、使用者が第２位置操作部６１を左右方向に３〜５ｍｍ移動させるとき、アタッチメント櫛部２２は、アタッチメント基台２１に対して０．５〜１ｍｍ移動する。電気バリカン１は、第２位置調整部６０の位置設定変更段数が３段である。第２位置調整部６０は、第１溝位置、第２溝位置、および第３溝位置で規定される３段の位置設定変更段数を有する。
【００３４】
図７を参照して、第１位置調整部３０および第２位置調整部６０を用いたアタッチメント櫛部２２の位置調整動作を説明する。
図７（ａ）は、第１位置調整部３０を用いて本体部１０に対するアタッチメント２０の位置を調整した状態が示されている。
【００３５】
使用者は、第１位置操作部３１を押圧してアタッチメント２０を前後させることにより、フック支持部５１が有するフック５２を本体側位置調整部４０が有する複数の結合溝４２のいずれか一つに結合させる。図７（ａ）は、本体部１０に対するアタッチメント２０の位置が図１に示される状態から第１位置調整部３０における第１最小位置調整量Ｄ１だけ前方向に移動した状態が示されている。使用者は、フック５２を結合させる結合溝４２の位置を変更することで、本体部１０に対するアタッチメント２０の位置を調整する。
【００３６】
図７（ｂ）は、第２位置調整部６０を用いてアタッチメント基台２１に対するアタッチメント櫛部２２の位置を調整した状態が示されている。
使用者は、第２位置操作部６１を左右方向に移動させることにより、第２位置操作部６１に形成されたボス７１をアタッチメント櫛部２２の位置調整溝８１が有する複数の位置確定部８２のいずれか一つに移動させる。図７（ｂ）は、アタッチメント基台２１に対するアタッチメント櫛部２２の位置が図７（ａ）に示される状態から第２位置調整部６０における１段階だけ右に移動した状態が示されている。アタッチメント櫛部２２は、アタッチメント基台２１に対して第２最小位置調整量Ｄ２だけ前方向に移動する。使用者は、ボス７１を結合させる位置確定部８２の位置を変更することで、アタッチメント基台２１に対するアタッチメント櫛部２２の位置を調整する。
【００３７】
使用者は第１位置調整部３０による本体部１０に対するアタッチメント２０の位置の調整および第２位置調整部６０によるアタッチメント基台２１に対するアタッチメント櫛部２２の位置の調整を組み合わせる。電気バリカン１は、第１位置調整部３０による調整と第２位置調整部６０による調整を組み合わせることにより本体部１０に対するアタッチメント櫛部２２の位置を多段階で調整することができる。
【００３８】
図８を参照して、本体部１０に対するアタッチメント櫛部２２の位置の調整量を説明する。
本体部１０に対するアタッチメント櫛部２２の位置は、第１位置調整部３０による位置調整量および第２位置調整部６０による位置調整量の組み合わせにより設定される。
【００３９】
図８は、本体部１０に対するアタッチメント櫛部２２の位置変更が可能な値が示されている。図８は、列方向に第１位置調整部３０により調整されるフック位置が、行方向に第２位置調整部６０により調整される溝位置が示されている。表内のセルの２つの数字は、第１位置調整部３０によるフック段階と第２位置調整部６０による溝段階との組み合わせが記載されている。
【００４０】
図８に示されるように、電気バリカン１は、第１位置調整部３０による位置調整を３段階、第２位置調整部６０による位置調整を３段階とするとき、本体部１０に対するアタッチメント櫛部２２の位置を９段階で調整することができる。図８に示される位置でもっとも間隔が離れた（１、１）と（３、３）との間でアタッチメント櫛部２２を移動させるとき、電気バリカン１は、列方向２段階と行方向２段階の合計４段階の位置変更で移動可能である。
【００４１】
電気バリカン１は、第２位置調整部６０の第２最小位置調整量Ｄ２と第１位置調整部３０の第１最小位置調整量Ｄ１とを異なる値に設定する。電気バリカン１は、第１位置調整部３０と第２位置調整部６０とを用いて粗密での刈り高さの調整を行うことができる。第２位置調整部６０の第２最小位置調整量Ｄ２を第１位置調整部３０の第１最小位置調整量Ｄ１よりも小さくすることで、電気バリカン１は、第１位置調整部３０で粗い刈り高さ調整を行い、第２位置調整部６０で細かな刈り高さ調整を行うことができる。
【００４２】
第１実施形態の電気バリカン１は、以下の効果を奏する。
（１）電気バリカン１は、本体部１０、刃部１１、およびアタッチメント２０を有する。アタッチメント２０は、アタッチメント基台２１およびアタッチメント櫛部２２を有する。本体部１０およびアタッチメント２０は、本体部１０に対するアタッチメント２０の前後方向の位置を調整する第１位置調整部３０を有する。アタッチメント基台２１およびアタッチメント櫛部２２は、アタッチメント基台２１に対するアタッチメント櫛部２２の前後方向の位置を調整する第２位置調整部６０を有する。電気バリカン１は、アタッチメント櫛部２２と刃部１１との間隔で毛髪および体毛の刈り高さを設定する。この構成によれば、使用者は、第１位置調整部３０および第２位置調整部６０が有する位置設定変更段数の組合せで刈り高さを調整することができる。このため、使用者は、少ない変更段数で簡単に所望の刈り高さを設定することができる。このため、使用者は、煩わしさを感じることなく刈り高さの調整を行うことができる。
【００４３】
（２）電気バリカン１は、本体部１０およびアタッチメント２０を有する。アタッチメント２０は、アタッチメント基台２１およびアタッチメント櫛部２２を有する。本体部１０およびアタッチメント２０は、本体部１０に対するアタッチメント２０の前後方向の位置を調整する第１位置調整部３０を有する。アタッチメント基台２１およびアタッチメント櫛部２２は、アタッチメント基台２１に対するアタッチメント櫛部２２の前後方向の位置を調整する第２位置調整部６０を有する。電気バリカン１は、第２位置調整部６０の第２最小位置調整量Ｄ２を第１位置調整部３０の第１最小位置調整量Ｄ１よりも小さな値に設定する。この構成によれば、使用者は、第１位置調整部３０で粗い刈り高さ調整を行い、第２位置調整部６０で細かな刈り高さの調整を行うことができる。このため、使用者は、少ない変更段数で細かな刈り高さの調整を行うことができる。
【００４４】
（３）第２位置調整部６０は、第２位置操作部６１に形成される第１ボス７１Ｘおよび第２ボス７１Ｙを含む複数のボス７１およびアタッチメント櫛部２２に形成される第１位置調整溝８１Ｘおよび第２位置調整溝８１Ｙを含む複数の位置調整溝８１を有する。第２位置操作部６１がアタッチメント基台２１に配設されるとき、複数のボス７１は、複数の位置調整溝８１を貫通する。第２位置操作部６１を左右に移動させるとき、複数のボス７１は、複数の位置調整溝８１内を移動する。この構成によれば、第２位置操作部６１は、複数のボス７１が複数の位置調整溝８１の溝を形成する辺に沿って移動する。このため、第２位置操作部６１は、回転のブレを生じることなく、安定に左右方向へ移動する。このため、使用者は、スムーズな刈り高さ調整を行うことができる。
【００４５】
（４）電気バリカン１は、第１位置調整部３０および第２位置調整部６０を有する。電気バリカン１は、第１位置調整部３０による位置調整と第２位置調整部６０による位置調整とを組合せて本体部１０に対するアタッチメント櫛部２２の位置を設定する。電気バリカン１は、第１位置調整部３０の第１最小位置調整量Ｄ１を大きな値に設定して第２位置調整部６０の第２最小位置調整量Ｄ２を小さな値に設定する。この構成によれば、電気バリカン１は、本体側位置調整部４０に形成される複数の結合溝４２の間隔Ｄ１を広くすることができる。このため、電気バリカン１は、本体側位置調整部４０に形成される複数のリブ４１の厚さを厚くすることができる。このため、電気バリカン１の製造者は、本体側位置調整部４０を形成する金型におけるリブ４１形成部の厚みを厚くすることができる。このため、本体側位置調整部４０を形成する金型の強度が増して、電気バリカン１は、製造が容易となる。
【００４６】
（５）電気バリカン１は、第１位置調整部３０および第２位置調整部６０を有する。電気バリカン１は、第１位置調整部３０による位置調整と第２位置調整部６０による位置調整とを組合せて本体部１０に対するアタッチメント櫛部２２の位置を設定する。電気バリカン１は、第１位置調整部３０の第１最小位置調整量Ｄ１を大きな値に設定して第２位置調整部６０の第２最小位置調整量Ｄ２を小さな値に設定する。この構成によれば、電気バリカン１は、本体側位置調整部４０に形成される複数のリブ４１およびフック支持部５１に形成されるフック５２の厚さを厚くすることができる。このため、電気バリカン１は、アタッチメント２０を本体部１０に着脱するときに生じるリブ４１とフック５２との摩擦に対する耐久性が向上する。このため、電気バリカン１は、長期間にわたって安定に動作することができる。
【００４７】
（６）第２位置調整部６０は、第２位置操作部６１に形成されるボス７１およびアタッチメント櫛部２２に形成される位置調整溝８１を有する。第２位置操作部６１がアタッチメント基台２１に配設されるとき、ボス７１は、位置調整溝８１を貫通する。第２位置操作部６１が左右に移動するとき、ボス７１は、位置調整溝８１内を移動する。位置調整溝８１は、ボス７１の左右方向の移動量よりも小さい前後方向の移動量を有する。この構成によれば、アタッチメント櫛部２２は、第２位置操作部６１の左右方向の移動量よりも小さな値で前後方向に移動する。このため、使用者は、細かな刈り高さの調整を容易に行うことができる。
【００４８】
（７）第２位置調整部６０は、第２位置操作部６１に形成されるボス７１およびアタッチメント櫛部２２に形成される位置調整溝８１を有する。第２位置操作部６１がアタッチメント基台２１に配設されるとき、ボス７１は、位置調整溝８１を貫通する。第２位置操作部６１が左右に移動するとき、ボス７１は、位置調整溝８１内を移動する。位置調整溝８１は、ボス７１の左右方向の移動量よりも小さい前後方向の移動量を有する。この構成によれば、電気バリカン１は、大きな値の位置調整溝８１の位置確定部８２の間隔で小さな値の第２最小位置調整量Ｄ２を調整することができる。このため、位置調整溝８１を形成するための製造装置に対する要求精度を緩和することができる。このため、電気バリカン１は、製造が容易となる。
（その他の実施形態）
本電気バリカンは、その他の実施形態を含む。以下、本電気バリカンのその他の実施形態としての実施形態の変形例を示す。なお、以下の各変形例は、互いに組み合わせることもできる。
【００４９】
・実施形態の電気バリカン１の第２位置調整部６０は、アタッチメント櫛部２２の前後方向の移動量を調整するとき、第２位置操作部６１をアタッチメント櫛部２２の移動方向と略直交する左右方向に操作する。ただし、第２位置調整部６０の構成は実施形態に示される内容に限られない。例えば、変形例の電気バリカン１は、第２位置調整部６０の第２位置操作部６１を斜め方向に移動させて、アタッチメント櫛部２２に前後方向の位置を調整する。
【００５０】
・実施形態の電気バリカン１は、第１位置調整部３０が３段階の位置設定変更段数を有する。ただし、第１位置調整部３０の構成は実施形態に示される内容に限られない。例えば、変形例の電気バリカン１は、第１位置調整部３０が４段階以上の位置設定変更段数を有する。本体側位置調整部４０は、４つ以上の結合溝４２を有するようリブ４１が形成される。
【００５１】
・実施形態の電気バリカン１は、第２位置調整部６０が３段階の位置設定変更段数を有する。ただし、第２位置調整部６０の構成は実施形態に示される内容に限られない。例えば、変形例の電気バリカン１は、第２位置調整部６０が４段階以上の位置設定変更段数を有する。櫛側位置調整部８０は、４つ以上の位置確定部８２を有するよう位置調整溝８１が形成される。
【００５２】
・実施形態の電気バリカン１は、第２位置調整部６０の第２最小位置調整量Ｄ２が第１位置調整部３０の第１最小位置調整量Ｄ１よりも小さな値とされる。ただし、第１位置調整部３０およびの第２位置調整部６０の構成は実施形態に示される内容に限られない。例えば、変形例の電気バリカン１は、第１位置調整部３０の第１最小位置調整量Ｄ１が第２位置調整部６０の第２最小位置調整量Ｄ２よりも小さな値とされる。使用者は、第２位置調整部６０で粗い刈り高さ調整を行い、第１位置調整部３０で細かな刈り高さの調整を行う。
【００５３】
（課題を解決するための手段に関する付記）
課題を解決するための手段は、下記の各付記手段のとおり記述することもできる。
（１）付記手段１は、「前記第２位置調整部は、前記第１位置調整部の最小位置調整量よりも小さい最小位置調整量を有する請求項３に記載の電気バリカン」を含む。
【符号の説明】
【００５４】
１…電気バリカン、１０…本体部、１１…刃部、２０…アタッチメント、２１…アタッチメント基台、２２…アタッチメント櫛部、３０…第１位置調整部、４１…リブ、４２…結合溝、５２…フック、６０…第２位置調整部、７１…ボス、７１Ａ…ボス、７１Ｂ…ボス、７１Ｃ…ボス、７１Ｘ…第１ボス、７１Ｙ…第２ボス、８１…位置調整溝、８１Ａ…位置調整溝、８１Ｂ…位置調整溝、８１Ｃ…位置調整溝、８１Ｘ…第１位置調整溝、８１Ｙ…第２位置調整溝、８２…位置確定部、８２Ａ…第１位置確定部、８２Ｂ…第２位置確定部、８２Ｃ…第３位置確定部。
【図１】
2014124320.tif 000003
【図２】
2014124320.tif 000004
【図３】
2014124320.tif 000005
【図４】
2014124320.tif 000006
【図５】
2014124320.tif 000007
【図６】
2014124320.tif 000008
【図７】
2014124320.tif 000009
【図８】
2014124320.tif 000010